(57)【要約】      （修正有）【課題】小型で手持ち型のハウジング内の記憶媒体に記憶された電子ブックファイルを読見やすくできる電子ブックを提供する。【解決手段】互いに向き合う対向するディスプレイを折り畳み式ハウジング上に備えた電子ブックが、個々のページにおけるブックテキストを縦長レイアウトで表示する。ユーザがブックを９０°回転させることで生じるモード変更信号の受信時に、下側のディスプレイがキーボードの画像及び／又はテキストを横長モードで表示できる一方で、上側のディスプレイがテキストを横長モードで表示することができる。キーボード画像は、ユーザが選択した言語に対応するものであり得る。【選択図】図２
2010129092.tif 000002
【特許請求の範囲】
【請求項１】
ハウジングと、
前記ハウジング上に支持された第１及び第２の電子タッチスクリーンディスプレイと、
前記ディスプレイ上の表示を制御する、前記ハウジング内のデジタルプロセッサと、
前記プロセッサがアクセスできるタンジブルコンピュータリーダ記憶媒体と、
を備え、前記媒体には、前記ファイルが表すテキストを前記ディスプレイに縦長モードで表示するための電子ブックファイルが記憶され、
前記プロセッサは、表示モード変更信号を受信するとともに、これに応答して少なくとも１つのディスプレイ上のテキストの表示を縦長モードから横長モードに自動的に変更する、
ことを特徴とする電子ブック。
【請求項２】
前記表示モード変更信号に応答して、前記プロセッサが、キーボードの画像を前記第１のディスプレイに横長に、及びテキストの画像を前記第２のディスプレイに横長に表示する、
ことを特徴とする請求項１に記載の電子ブック。
【請求項３】
前記表示モード変更信号は、人が前記ハウジング上のキーに触れることにより生成される、
ことを特徴とする請求項１に記載の電子ブック。
【請求項４】
前記ハウジング内に加速度計を備えてプロセッサに入力信号を供給し、該入力信号がしきい値を超えることにより前記表示モード変更信号が生成される、
ことを特徴とする請求項１に記載の電子ブック。
【請求項５】
前記プロセッサは、ユーザが言語を選択できるようにするユーザインターフェイスを前記ディスプレイに表示し、表示モード変更信号の受信時に、前記ユーザが選択した前記言語に関連するキーボードが自動的に表示される、
ことを特徴とする請求項１に記載の電子ブック。
【請求項６】
前記ハウジングは、書籍の開閉を再現するように折り畳み式である、
ことを特徴とする請求項１に記載の電子ブック。
【請求項７】
前記ハウジングに支持されるとともに前記プロセッサと通信する少なくとも１つの位置信号受信機を備える、
ことを特徴とする請求項１に記載の電子ブック。
【請求項８】
前記ハウジング上に少なくとも１つのソーラー充電器レセプタクルを備え、前記ハウジング内のバッテリを充電するためにソーラー充電器に接続することができる、
ことを特徴とする請求項１に記載の電子ブック。
【請求項９】
ハウジングと、
前記ハウジング上に支持された少なくとも第１の電子タッチスクリーンディスプレイと、
前記ディスプレイ上の表示を制御する、前記ハウジング内のデジタルプロセッサと、
前記プロセッサがアクセスできるタンジブルコンピュータリーダ記憶媒体と、
を備え、前記媒体には、前記ファイルが表すテキストを前記ディスプレイに縦長モードで表示するための電子ブックファイルが記憶され、
前記プロセッサは、ユーザが言語を選択できるようにするユーザインターフェイスを前記ディスプレイに表示し、表示モード変更信号の受信時に、前記ユーザが選択した前記言語に関連するキーボードが前記ディスプレイに自動的に表示される、
ことを特徴とする電子ブック。
【請求項１０】
前記プロセッサが表示モード変更信号を受信し、これに応答して前記ディスプレイ上においてテキストの表示を縦長モードから横長モードに自動的に変更する、
ことを特徴とする請求項９に記載の電子ブック。
【請求項１１】
前記ハウジング上に第２のディスプレイを備え、前記表示モード変更信号に応答して、前記プロセッサがキーボードの画像を前記第１のディスプレイに横長に、及びテキストの画像を前記第２のディスプレイに横長に表示する、
ことを特徴とする請求項１０に記載の電子ブック。
【請求項１２】
前記表示モード変更信号は、人が前記ハウジング上のキーに触れることにより生成される、
ことを特徴とする請求項１０に記載の電子ブック。
【請求項１３】
前記ハウジング内に加速度計を備えてプロセッサに入力信号を供給し、該入力信号がしきい値を超えることにより前記表示モード変更信号が生成される、
ことを特徴とする請求項１０に記載の電子ブック。
【請求項１４】
前記ハウジングに支持されるとともに前記プロセッサと通信する少なくとも１つの位置信号受信機を備える、
ことを特徴とする請求項９に記載の電子ブック。
【請求項１５】
前記ハウジング上に少なくとも１つのソーラー充電器レセプタクルを備え、前記ハウジング内のバッテリを充電するためにソーラー充電器に接続することができる、
ことを特徴とする請求項９に記載の電子ブック。
【請求項１６】
互いに向き合う対向する第１及び第２のディスプレイを折り畳み式ハウジング上に備えた電子ブックを提供するステップと、
個々のページにおけるブックテキストを縦長レイアウトで表示するステップと、
モード変更信号の受信時に、前記第１のディスプレイにキーボードの画像又はテキストを横長レイアウトで表示し、前記第２のディスプレイにテキストを横長レイアウトで表示するステップと、
を含むことを特徴とする方法。
【請求項１７】
前記モード変更信号の受信時に、前記第１のディスプレイにキーボードの画像を横長レイアウトで表示するステップを含む、
ことを特徴とする請求項１６に記載の方法。
【請求項１８】
前記モード変更信号の受信時に、前記第１のディスプレイにテキストの画像を横長レイアウトで表示するステップを含む、
ことを特徴とする請求項１６に記載の方法。
【請求項１９】
前記キーボードの画像は、ユーザが選択した言語に対応するものである、
ことを特徴とする請求項１７に記載の方法。
【請求項２０】
前記モード変更信号は、人が前記ブックを９０°回転させることにより生成される、
ことを特徴とする請求項１６に記載の方法。
【発明の詳細な説明】
【技術分野】
【０００１】
本発明は、一般に電子ブックに関する。
【背景技術】
【０００２】
小型で手持ち型のハウジング内の記憶媒体に記憶された電子ブックファイルを読むことができる電子ブックが提供されてきた。ハウジングのディスプレイにテキストが表示され、複数の電子ブックを記憶媒体に記憶することができる。このようにして、実際に、都合のよい時に数多くのブックを伝送して、単一の軽量な電子ブックのフォームファクタで読むことができる。本明細書で分かるように、このような電子ブックをさらに便利で使いやすくすることができる。
【発明の概要】
【課題を解決するための手段】
【０００３】
電子ブックには、ハウジングと、ハウジング上に支持された第１及び第２の電子タッチスクリーンディスプレイとが含まれる。ハウジング内のデジタルプロセッサは、ディスプレイ上の表示を制御する。プロセッサは、タンジブルコンピュータリーダ記憶媒体にアクセス可能であり、この媒体には、ファイルが表すテキストをディスプレイに縦長モードで表示するための電子ブックファイルが記憶される。プロセッサは、表示モード変更信号を受信し、これに応答して少なくとも１つのディスプレイ上のテキストの表示を縦長モードから横長モードへと自動的に変更する。
【０００４】
いくつかの実施形態では、表示モード変更信号に応答して、プロセッサが第１のディスプレイに横長のキーボードの画像を、及び第２のディスプレイに横長のテキストの画像を表示する。人がハウジング上のキーに触れることにより、表示モード変更信号を生成することができる。これとは別に、或いはこれに加えて、ハウジング内に加速度計を設けてプロセッサに入力信号を供給することができる。しきい値を超える信号により表示モード変更信号を生成することができる。
【０００５】
いくつかの実施構成では、プロセッサがディスプレイにユーザインターフェイスを表示して、ユーザが言語を選択できるようにする。表示モード変更信号の受信時に、ユーザが選択した言語に関連するキーボードが自動的に表示される。例示的な実施形態では、ハウジングが書籍の開閉を再現するように折り畳み式となる。
【０００６】
いくつかの例示的な実施形態では、位置信号受信機が、ハウジングに支持されるとともにプロセッサと通信する。他の実施形態では、ソーラー充電器レセプタクルがハウジングに設けられ、ハウジング内のバッテリを充電するためにソーラー充電器に接続することができる。
【０００７】
別の態様では、電子ブックが、ハウジングと、ハウジング上に支持された少なくとも第１の電子タッチスクリーンディスプレイと、ハウジング内にディスプレイ上の表示を制御するデジタルプロセッサとを含む。プロセッサは、タンジブルコンピュータリーダ記憶媒体にアクセスすることができる。この媒体には、ファイルが表すテキストをディスプレイに表示するための電子ブックファイルが記憶される。プロセッサがディスプレイにユーザインターフェイスを表示して、ユーザが言語を選択できるようにし、表示モード変更信号の受信時に、ユーザが選択した言語に関連するキーボードがディスプレイに自動的に表示される。
【０００８】
別の態様では、方法が、互いに向き合う対向する第１及び第２のディスプレイを折り畳み式ハウジング上に備えた電子ブックを提供するステップと、個々のページにおけるブックテキストを縦長レイアウトで表示するステップとを含む。この方法は、モード変更信号の受信時に、第１のディスプレイにキーボードの画像又はテキストを横長レイアウトで表示し、第２のディスプレイにテキストを横長レイアウトで表示する。
【０００９】
同じ参照番号が同じ部分を示す添付図面を参照することにより、本発明の詳細をその構造及び動作の両方に関して最も良く理解することができる。
【図面の簡単な説明】
【００１０】
【図１】閉じた構成における例示的な電子ブックの斜視図である。
【図２】開いた構成における図１の電子ブックを示す斜視図である。
【図３】例示的なブックのブロック図である。
【図４−６】横長モードと縦長モードとの間の変更を示す概略図である。
【図７】図４〜図６において概説した論理のいくつかを示すフロー図である。
【図８】キーボードの言語論理のフロー図である。
【発明を実施するための形態】
【００１１】
最初に図１及び図２を参照する。ここに、１つの実施形態において、書籍の開閉を再現するように折り畳み式の構成を有することができる例示的な電子ブック１０を示している。詳細には、電子ブック１０は、ヒンジ１６に沿って硬い軽量プラスチックの「バック」部材１４に接合された硬い軽量プラスチックの「カバー」部材１２を有して、「カバー」部材１２の電子ディスプレイ１８が閲覧のために露出する開いた構成（図２）と、ディスプレイ１８が「バック」部材１４の内面にぴったりくっついた状態にあるため露出しない閉じた構成（図１）との間で動かすことができる。必要であれば、「バック」部材１４などの上に別のタッチスクリーンディスプレイなどの入力装置２０を設けてもよい。
【００１２】
図３は、ディスプレイ１８、２０を有する軽量の携帯用プラスチックハウジング２４を含む、電子ブック１０のいくつかの内部構成要素を示している。限定的な意味ではないが、ディスプレイ２６は、液晶ディスプレイ（ＬＣＤ）、発光ダイオードディスプレイ（ＬＥＤ）、又はその他の適当な電子ディスプレイ技術であってもよい。
【００１３】
必要であれば、ハウジング２４に、ソーラー充電器３０のコード２８のコネクタを受け入れるためのソーラー充電器コードレセプタクル２６を形成することができる。レセプタクル２６と連通する適当な変換回路、フィルタリング回路、及び増幅回路などの充電回路３２をハウジング２４内に設けて、ハウジング２４内の１又はそれ以上の再充電可能ＤＣバッテリ３４に充電電流を供給することができる。
【００１４】
バッテリ３４はハウジング２４内の１又はそれ以上のプロセッサ３６に給電を行う。この結果、プロセッサ３６は、以下に限定されるわけではないが、ディスクベースの記憶装置及び／又は固体記憶装置などのタンジブルコンピュータリーダ記憶媒体３８にアクセスして本明細書における論理を実行することができる。図示のように、媒体３８をハウジング内に含めてもよいし、或いはプロセッサによりネットワークを介して遠隔でアクセスするようにしてもよい。
【００１５】
例えば、ワープロ用アプリケーションを含むその他のアプリケーションと同様に電子ブックファイルを媒体３８に記憶することもできる。プロセッサ３６は、ディスプレイ１８、２０を制御して、媒体３８に記憶されたタイトルのリスト、以下で説明する論理をサポートするためのコマンド入力要素、媒体３８上のファイルから得られるブックテキスト、及びユーザが英数字信号を入力できるようにするキーボードなどの入力装置の画像を表示する。
【００１６】
いくつかの実施形態では、プロセッサ３６が全地球測位衛星（ＧＰＳ）受信機などの１又はそれ以上の位置受信機４０と通信して、ブック１０の地理的位置情報を受信するとともに、必要であればこの情報をスクリーン１８、２０の一方に表示することができる。また、後程簡単に開示するが、いくつかの実施構成ではハウジング２４内に加速度計４２を設け、プロセッサ３６に加速度及びより詳細な角加速度を表す信号を供給することができる。
【００１７】
図４〜図６を参照すると、本原理の例示的な特徴を示している。図４に示すように、ディスプレイ１８、２０は、縦長フォーマット、すなわち左右に短く上下に長い長方形の、正方形ではないテキストレイアウトでそれぞれのブックページの画像を表示することができる。従って、例えば左側のディスプレイ２０がブックページ上のテキストの画像を表示し、右側のディスプレイがブックの次のページの画像を表示することができる。
【００１８】
図４〜図６に示す例示的な実施形態によれば、図２に示すプロセッサ３６は、所定の信号の受信時にテキストレイアウトを縦長から（テキストレイアウトが左右に長く上下に短い）横長へ自動的に再構成することができる。一例として図４及び図５を相互に参照すると、ユーザが、矢印４４で示すように及び加速度計４２が感知するようにブック１０を反時計回りに９０°回転させ、加速度計からの信号が、プロセッサ３６に入力される「キーボード」信号を確立するのに十分な速度及び角度の回転を示した場合、図５に示すように、（今は上側の）ディスプレイ上のテキストレイアウトが縦長から横長へ自動的に変更される。
【００１９】
また、必要であれば、（今は下側の）ディスプレイ２０に、ＱＷＥＲＴＹキーボード又は以下でさらに説明する言語の選択により決定できるようなその他のキーボードなどのキーボードの画像４６を自動的に表示させ、ディスプレイ２０のタッチスクリーン機能により、ユーザがこの画像を操作して英数字テキストを入力することができる。従って、キーボード信号の受信時に、プロセッサ３６がコンピュータ媒体３８に記憶されたワープロ用アプリケーションを自動的に呼び出してユーザ入力を容易にすることができる。また、プロセッサ３６は、（今は上側の）ディスプレイ１８に、仮想キーボード４６から受信したテキストを好ましくは図示のように横長フォーマットで表示させることができる。このようにして、テキストのページを表示する電子ブックからワープロコンピュータへと電子ブック１０を迅速かつ自動的に再構成することができる。
【００２０】
加速度計を設けてキーボード信号及び上述した後続の動作を発生させるのとは別に、ユーザがプロセッサに「キーボード」信号を入力すべくトグルできる仮想的な又は機械的なセレクタキー４８をブック１０に設けてもよい。
【００２１】
ブック１０を図４に示す向きに時計回りに９０°逆回転させることにより（或いはセレクタキー４８をトグルすることにより）、プロセッサに、ディスプレイ１８、２０を図４に示すようにすなわち元のようにブックテキストのみを縦長モードで表示するように自動的に構成させることができる。
【００２２】
また、ユーザがブック１０を図４に示すように縦長モードに置き、表示されたブックページのレイアウトを縦長から横長に単純に変更したいと望む場合、ユーザは、矢印５０で示すようにブックを図６に示す向きに時計回りに９０°回転させるだけでよい。図６に示すように、両方のディスプレイ１８、２０は、図示の同じテキストのレイアウトを縦長から横長（図６）に自動的に変更するようにされる。或いは、機械的な又は仮想的な変換キー５２をブック１０に設け、これをユーザが操作してブックテキストのレイアウトを縦長から横長に変更する命令をプロセッサ３６に入力するようにしてもよい。
【００２３】
ブック１０を図４に示す向きに反時計回りに９０°逆回転させることにより（或いはキー５２をトグルすることにより）、プロセッサに、ディスプレイ１８、２０を図４に示すようにすなわち元のようにブックテキストのみを縦長モードで表示するように自動的に構成させることができる。
【００２４】
ディスプレイを図４から図６に再構成するために、時計回りの回転の代わりに反時計回りの回転を使用してもよく、また、ディスプレイを図４から図５に再構成するために、反時計回りの回転の代わりに時計回りの回転を使用してもよい。
【００２５】
図７は、ブック１０を図４のレイアウトから図５のレイアウトに再構成するために使用できる例示的な論理を示しており、同様の論理を使用してブック１０を図４のレイアウトから図６のレイアウトに再構成できることが理解される。通常、ブロック５４から開始して、上述のような加速度計４２又はセレクタキー４８などから「再構成」信号が受信されるが、図４及び図６の関連における「再構成」信号は、ブック１０を仮想キーボードの画像を表示するように自動的に再構成するので「キーボード」信号と見なされる。この目的のために、加速度計を使用する場合、プロセッサは、加速度計から受信した信号が適切な回転方向のしきい値を満たすかどうかを判定し、満たす場合には、ユーザがブック１０を十分に迅速かつ遠くに回転させることにより、横長のキーボードモードに入りたい意志を示したと判断することができる。
【００２６】
ブロック５６において、説明したようにキーボードの画像４６が横長レイアウトで表示されるとともに、ブロック５８において、関連するテキストが図６に示すように上側のディスプレイに横長で表示される。ブロック６０は、別の信号（便宜上「ブック」信号と呼ぶ）を加速度計４２又はセレクタキー４８から受信して、ブックがブロック６２における及び図４に示すような縦長モードのレイアウトに自動的に戻るようにすることができることを単純に示している。
【００２７】
いくつかの実施形態では、仮想キーボードの画像４６が、ユーザが選択した言語に対応するキーの画像を表示する。図７のブロック６４は、ユーザが言語を含む好みを選択できるようにするユーザインターフェイス画面からこのような言語選択を行うことができることを示している。例えば、「英語」が選択され、その後ブロック６６において「キーボード」信号が受信された場合、ブロック６８において、画像４６は、英語入力装置で使用されるようなＱＷＥＲＴＹキーボードの画像になり得る。その他のキーボード画像を使用することもでき、例えば「日本語」が選択言語の場合には漢字型キーボード画像を表示することができ、或いは「ロシア語」が選択言語の場合にはキリル文字のキーボード画像を表示できるなどである。この目的のために、記憶媒体３８は複数のキーボード画像を記憶することができ、その１つが、ユーザが選択可能な個々の言語に対応する。
【００２８】
特定の「機能を強化した電子ブック」を本明細書に示し、詳細に説明したが、本発明に含まれる対象は特許請求の範囲によってのみ限定されることを理解されたい。
【図１】
2010129092.tif 000003
【図２】
2010129092.tif 000004
【図３】
2010129092.tif 000005
【図４−６】
2010129092.tif 000006
【図７】
2010129092.tif 000007
【図８】
2010129092.tif 000008